(57)【要約】 【課題】注射前の薬液の状態を観察してから安心して注射ができるようにする。【解決手段】容器兼用注射器１は、筒先３において、シリンダ２との嵌着穴３ｂの前側に、前後部ストッパー５ａ，５ｂの外径を超える内径を有し前部ストッパー５ａが入り込むバイパスチャンバー３ｃが設けられると共に、バイパスチャンバー３ｃの前側に、内径がシリンダ２の内径と同じかまたは前後部ストッパー５ａ，５ｂの外径を超えない大きさの内径で前後部ストッパー５ａ，５ｂ間のシリンダ２内に充填される薬液ｍの容量を超える容積を有する前室３ｄが設けられ、バイパスチャンバー３ｃの内壁に、シリンダ２内をバイパスパスチャンバー３ｃに入り込んだ前部ストッパー５ａを迂回して前室３ｄに連絡させるバイパス溝１０が形成された構成とされている。【選択図】図１
2008099728.tif 000002
【特許請求の範囲】
【請求項１】
シリンダと、該シリンダ内の前後端側に嵌入され、シリンダ内に充填された薬液を液密に封止する前部ストッパーおよび後部ストッパーと、透明な合成樹脂材料で形成されており、基端側の嵌着穴を介して前記シリンダの前端に嵌着されると共に先端に注射針を取り付けるルアー先が設けられた筒先と、前記シリンダの後端に設けられたフィンガーグリップと、前記シリンダの後端部からシリンダ内に挿入されて前記後部ストッパーに連結されたプランジャーロッドとを備えた容器兼用注射器において、
前記筒先には、前記嵌着穴の前側に、内壁にバイパス溝を有し前部ストッパーの軸長より長く形成されて前部ストッパーが入り込んで一時的に停止するバイパスチャンバーが設けられると共に、該バイパスチャンバーの前端から前記ルアー先の基部内面までの間に、内径が前記シリンダの内径と同じかまたは前後部ストッパーの外径を超えない大きさの内径であって、シリンダ内の前部ストッパーと後部ストッパーとの間に充填される薬液の容量を超える容積を有する前室が設けられ、また、前記バイパスチャンバーは、その内径が前記前室の内径より大きく設定されて前室との境界部に段差が設けられ、前記バイパス溝は、前記シリンダ内をバイパスチャンバーに入り込んだ前部ストッパーを迂回して前記前室内に連絡させるように形成されていることを特徴とする容器兼用注射器。
【請求項２】
シリンダと、該シリンダ内の前後端側に嵌入され、シリンダ内に充填された薬液を液密に封止する前部ストッパーおよび後部ストッパーと、透明な合成樹脂材料で形成されており、基端側の嵌着穴を介して前記シリンダの前端に嵌着されると共に先端に注射針を取り付けるルアー先が設けられた筒先と、前記シリンダの後端に設けられたフィンガーグリップと、前記シリンダの後端部からシリンダ内に挿入されて前記後部ストッパーに連結されたプランジャーロッドとを備えた容器兼用注射器において、
前記筒先３には、前記嵌着穴の前側に、内壁にバイパス溝を有し前部ストッパーの軸長より長く形成されて前部ストッパーが入り込んで一時的に停止するバイパスチャンバーが設けられると共に、該バイパスチャンバーの前端から前記ルアー先の基部内面までの間に、内径が前記シリンダの内径と同じかまたは前後部ストッパーの外径を超えない大きさの内径であって、シリンダ内の前部ストッパーと後部ストッパーとの間に充填される薬液の容量を超える容積を有する前室が設けられ、また、前記バイパスチャンバーは、その内径が前記前室の内径と同一とされ、その内壁におけるバイパスチャンバーと前室との境界部に、バイパスパスチャンバー内に入り込んだ前部ストッパーに移動抵抗を与える突起が設けられ、前記バイパス溝は、前記シリンダ内をバイパスチャンバーに入り込んだ前部ストッパーを迂回して前記前室内に連絡させるように形成されていることを特徴とする容器兼用注射器。
【請求項３】
前記バイパス溝は、前記バイパスチャンバーの周方向に間隔をあけて複数個配置され、バイパスチャンバーの軸方向に沿って形成され、また、前記突起は、バイパスチャンバーの中心方向に頂部を向けた半球状に形成され、前記バイパス溝の間に位置してバイパスチャンバーの周方向に複数個配置されていることを特徴とする請求項２に記載の容器兼用注射器。
【発明の詳細な説明】
【技術分野】
【０００１】
本発明は、シリンダ内の先端側に液密に嵌入された前部ストッパーが入り込むバイパスチャンバーを有し、その前側に前室を有する筒先をシリンダの先端外周部に嵌着してなる容器兼用注射器に関するものである。
【背景技術】
【０００２】
従来、シリンダと、該シリンダ内の前後端側に嵌入され、シリンダ内に充填された薬液を液密に封止する前部ストッパーおよび後部ストッパーと、前記シリンダの先端に嵌着され、前部ストッパーが入り込むバイパスチャンバーおよびその先端の注射針を取り付けるためのルアー先が設けられた筒先と、前記シリンダの後端に嵌着されたフィンガーグリップと、前記シリンダの後端部からシリンダ内に挿入されて前記後部ストッパーに連結されたプランジャーロッドとを備え、使用時にプランジャーロッドによって後部ストッパーを押して薬液と共に前部ストッパーを前方へ押し進めると、該前部ストッパーがシリンダから押し出されて前記筒先のバイパスチャンバー内に入り込むことによって、前後部ストッパー間に密封されていた薬液が、先端側の密封を解除されてシリンダ内からバイパスチャンバー内に流出し、前部ストッパーとバイパスチャンバーとの隙間を流れ、該バイパスチャンバーの内壁に設けられたバイパス溝に沿ってルアー先の内面に誘導されて注射針へと導入されるようにした容器兼用注射器が知られている（例えば、特許文献１、特許文献２参照）。
【特許文献１】特公昭６２−５８７４５号公報
【特許文献２】特開平８−１４１０８１号公報
【発明の開示】
【発明が解決しようとする課題】
【０００３】
しかしながら、前記容器兼用注射器においては、密封を解除された薬液はシリンダ内から前記バイパスチャンバー内に流入し、先にバイパスチャンバー内に入った前部ストッパーの外周面と前記バイパス溝との間の狭い隙間を通って注射針に誘導されるため、人体に注射される薬液の注射直前の状態を気泡も含めて良く見ることができないという問題があった。
【０００４】
本発明は、上記事情に鑑みてなされたものであって、注射前の薬液の状態を良く観察してから安心して注射することができる容器兼用注射器を提供することを目的とする。
【課題を解決するための手段】
【０００５】
本発明は、前記課題を解決するために、以下の点を特徴としている。
すなわち、請求項１に係る容器兼用注射器は、シリンダと、該シリンダ内の前後端側に嵌入され、シリンダ内に充填された薬液を液密に封止する前部ストッパーおよび後部ストッパーと、透明な合成樹脂材料で形成されており、基端側の嵌着穴を介して前記シリンダの前端に嵌着されると共に先端に注射針を取り付けるルアー先が設けられた筒先と、前記シリンダの後端に設けられたフィンガーグリップと、前記シリンダの後端部からシリンダ内に挿入されて前記後部ストッパーに連結されたプランジャーロッドとを備えた容器兼用注射器において、前記筒先には、前記嵌着穴の前側に、内壁にバイパス溝を有し前部ストッパーの軸長より長く形成されて前部ストッパーが入り込んで一時的に停止するバイパスチャンバーが設けられると共に、該バイパスチャンバーの前端から前記ルアー先の基部内面までの間に、内径が前記シリンダの内径と同じかまたは前後部ストッパーの外径を超えない大きさの内径であって、シリンダ内の前部ストッパーと後部ストッパーとの間に充填される薬液の容量を超える容積を有する前室が設けられ、また、前記バイパスチャンバーは、その内径が前記前室の内径より大きく設定されて前室との境界部に段差が設けられ、前記バイパス溝は、前記シリンダ内をバイパスチャンバーに入り込んだ前部ストッパーを迂回して前記前室内に連絡させるように形成されていることを特徴としている。
【０００６】
また、請求項２に係る容器兼用注射器は、シリンダと、該シリンダ内の前後端側に嵌入され、シリンダ内に充填された薬液を液密に封止する前部ストッパーおよび後部ストッパーと、透明な合成樹脂材料で形成されており、基端側の嵌着穴を介して前記シリンダの前端に嵌着されると共に先端に注射針を取り付けるルアー先が設けられた筒先と、前記シリンダの後端に設けられたフィンガーグリップと、前記シリンダの後端部からシリンダ内に挿入されて前記後部ストッパーに連結されたプランジャーロッドとを備えた容器兼用注射器において、前記筒先３には、前記嵌着穴の前側に、内壁にバイパス溝を有し前部ストッパーの軸長より長く形成されて前部ストッパーが入り込んで一時的に停止するバイパスチャンバーが設けられると共に、該バイパスチャンバーの前端から前記ルアー先の基部内面までの間に、内径が前記シリンダの内径と同じかまたは前後部ストッパーの外径を超えない大きさの内径であって、シリンダ内の前部ストッパーと後部ストッパーとの間に充填される薬液の容量を超える容積を有する前室が設けられ、また、前記バイパスチャンバーは、その内径が前記前室の内径と同一とされ、その内壁におけるバイパスチャンバーと前室との境界部に、バイパスパスチャンバー内に入り込んだ前部ストッパーに移動抵抗を与える突起が設けられ、前記バイパス溝は、前記シリンダ内をバイパスチャンバーに入り込んだ前部ストッパーを迂回して前記前室内に連絡させるように形成されていることを特徴としている。
【０００７】
また、請求項３に係る容器兼用注射器は、請求項２に記載の容器兼用注射器において、前記バイパス溝が、前記バイパスチャンバーの周方向に間隔をあけて複数個配置され、バイパスチャンバーの軸方向に沿って形成され、また、前記突起が、バイパスチャンバーの中心方向に頂部を向けた半球状に形成され、前記バイパス溝の間に位置してバイパスチャンバーの周方向に複数個配置されていることを特徴としている。
【発明の効果】
【０００８】
本発明によれば、以下の優れた効果を奏する。
請求項１に係る容器兼用注射器によれば、筒先のバイパスチャンバー内に前部ストッパーが押し込まれることにより密封を解除されたシリンダ内の薬液が、シリンダから前記バイパスチャンバー内に流入し、先にバイパスチャンバー内に入った前部ストッパーの外周面と前記バイパス溝との間の狭い隙間を通って前記前室内に全量入り込むので、該前室において、従来の容器兼用注射器の筒先では見えにくかった注射前の薬液の状態を、薬液中の異物の存在や気泡も含めて透明な筒先の外側から良く観察することができ、薬液中に残る気泡が確実に排出されたことを確認することができるので、その気泡の排出を確認してから安心して薬液を人体に注射することができる。
【０００９】
また、バイパスチャンバーと前室との境界部に内側に突出する突起等の格別な係止部を設けなくても、前記バイパスチャンバー内に入り込んだ前部ストッパーを、薬液がシリンダ内からバイパス溝を通して前室内に移動する間、前記段差部によってバイパスチャンバー内に一時的に止めておくことができるので、シリンダ内の薬液の全量を前室内に確実に誘導することができると共に、筒先はその内面形状が簡単となって容易に製作することができる。また、注射時には、前部ストッパーを後部ストッパーを介して押すことによりバイパスチャンバーから前室に押し込んで段差部を通過させて前方へ円滑、容易に移動させることができる。
【００１０】
また、請求項２に係る容器兼用注射器によれば、請求項１に係る容器兼用注射器と同様に、薬液中に残る気泡が確実に排出されたことを確認することができ、その気泡の排出を確認してから安心して薬液を人体に注射することができると共に、バイパスチャンバー内に入り込んだ前部ストッパーを突起によって前記バイパスチャンバー内に一時的にしっかりと止めておくことができるので、薬液の全量を前室にバイパス溝を通して確実に誘導することができる。
【００１１】
また、請求項３に係る容器兼用注射器によれば、バイパスチャンバー内に入り込んだ前部ストッパーを安定した状態で止めて、シリンダ内の薬液を前室にバイパス溝を通して円滑に誘導することができると共に、注射時には、前部ストッパーを後部ストッパーで押して前記突起の部分を通過させて前室に押し込んで前方へ移動させる際に、前部ストッパーが前記突起で損傷するの抑えることができる。
【発明を実施するための最良の形態】
【００１２】
以下、本発明の実施の形態に係る容器兼用注射器について、添付図面を参照して説明する。
図１において、１は本発明の第一の実施の形態に係る容器兼用注射器を示す。この容器兼用注射器１は、透明なガラス製円筒からなるシリンダ２と、該シリンダ２の前端部（図１で左端部）の外周に嵌着された筒先３と、前記シリンダ２の後端部（図１右端部）の外周に嵌着された合成樹脂製のフィンガーグリップ４と、前記シリンダ２内の前後端側にその軸方向に往復動可能に嵌入されてシリンダ２内に充填された薬液ｍを封止する前部ストッパー５ａおよび後部ストッパー５ｂと、前記シリンダ２内にその後端から挿入されて先端部を前記後部ストッパー５ｂに連結され、該後部ストッパー５ｂをシリンダ２の軸方向に往復動させるプランジャーロッド６と、前記筒先３の先端に設けたルアー先３ａに装着された注射針７と、該注射針７を覆うプロテクター８とを備えている。
【００１３】
前記筒先３は、透明な合成樹脂材料で構成され、筒先を前記シリンダ２に嵌着させる嵌着穴３ｂの前側に、シリンダ２の内径より大きくかつ前後部ストッパー５ａ，５ｂの自由状態における外径（以下、単に「前後部ストッパー５ａ，５ｂの外径」という）を超える大きさの内径を有し、前部ストッパー５ａの軸長（長さ）より長く形成されて前記前部ストッパー５ａが入り込むバイパスチャンバー３ｃが設けられ、該バイパスチャンバー３ｃの前端から前記ルアー先３ａの基部３ｅの内面３ｆまでの間に、内径が前記シリンダの内径と同じか前後部ストッパー５ａ，５ｂの外径を超えない大きさの内径であってシリンダ２内の前部ストッパー５ａと後部ストッパー５ｂとの間に充填される薬液ｍの容量を超える容積を有する前室３ｄが設けられている。
そして、前記バイパスチャンバー３ｃの内壁には、該バイパスチャンバー３ｃと前記前室３ｄとの境界部ｋに、バイパスパスチャンバー３ｃと前室３ｄの直径差にもとづく段差９が設けられると共に、前記シリンダ２からバイパスチャンバー３ｃを迂回して前記前室３ｄに連絡させるバイパス溝１０が形成されている。
【００１４】
なお、前記シリンダ２の先端外周部にはリング状の突起２ａが設けられて、該突起２ａが前記筒先３の嵌着穴３ｂの前端部に形成されたリング状溝３ｇに嵌合することにより、筒先３がシリンダ２の前端部に気密、液密的に嵌着され、同様に、シリンダ２の後端外周部にリング状の突起２ｂが設けられて、該突起２ｂが前記フィンガーグリップ４の円筒穴部４ａに形成されたリング状溝４ｂに嵌合してしっかりとシリンダ２の後端に嵌着されている。また、前記フィンガーグリップ４はシリンダ２の後端部に嵌着して設ける代わりに、シリンダ２に一体に形成して設けてもよい。
【００１５】
また、前記前、後部ストッパー５ａ，５ｂは、それぞれ前記シリンダ２の内径より僅かに大きな外径とされ、医療用医薬品用のゴム等の材質からなる弾力性を有する材料で形成され、前部ストッパー５ａが前記シリンダ２の前端より少し後寄りに縮径状態とされて気密、液密に嵌入され、後部ストッパー５ｂが前部ストッパー５ａから後方へ離間してそれらの間でシリンダ２内に所定容量の薬液ｍを丁度充填し得る位置に縮径状態とされて気密、液密に嵌入され、該シリンダ２内に充填された薬液ｍを密封するようになっている。
さらに、前、後部ストッパー５ａ，５ｂは、前記バイパスチャンバー３ｃとルアー先３ａとの間に設けられた前記前室３ｄに嵌入された際、前室３ｄ内を気密、液密を確保して円滑に往復動し得るようになっている。
【００１６】
前記バイパス溝１０は、前記バイパスチャンバー３ｃの周方向に等間隔をあけて複数個（図示の例では４個であるが、２個のみ図示されている）配置され、バイパスチャンバー３ｃの軸方向に平行に沿って直線状に形成されて、その先端部が前記境界部ｋより前側に位置されている。
なお、前記バイパス溝１０は、４個に限らず、１つもしくは４個以外の複数個であってもよく、バイパス溝１０はバイパスチャンバー３ｃの軸方向に平行でなく、該軸方向に対して傾斜していてもよく、要はシリンダ２内を前室３ｄに連絡させる通路となっていればよい。
また、前記筒先３には前記ルアー先３ａの外周に間隔をあけてハブルアーロック部３ｈが設けられ、該ハブルアーロック部３ｈには、前記注射針７の針もとを係止するロックネジ３ｉと前記プロテクター８を係止する環状溝３ｊとが設けられている。前記筒先３はハブルアーロック部３ｈを設けない筒先として形成したものであってもよい。
【００１７】
次に、本発明の第一の実施の形態に係る容器兼用注射器１の作用について図２を参照しながら説明する。
前記構成の容器兼用注射器１においては、使用時には、先ず、容器兼用注射器１を図１に示す状態から、図２（ａ）に示すように、プランジャーロッド６をゆっくりと押して後部ストッパー５ｂを介して薬液ｍをシリンダ２内の前側へ少し送って前部ストッパー５ａを前記筒先３のバイパスチャンバー３ｃ内に押し込む。このとき、前部ストッパー５ａはバイパスチャンバー３ｃ内で自由状態に弾性復元して外径が前室３ｄの内径より大きくなっているので、薬液ｍの流動圧力では前記段差９を通過することができず、前室３ｄ内へ前進することなく該バイパスチャンバー３ｃ内に止められている。
【００１８】
さらに、図２（ｂ）に示すように、前記プランジャーロッド６を押すことによって薬液ｍが前記バイパスチャンバー３ｃと該バイパスチャンバー３ｃ内の前部ストッパー５ａの外周部（側部）との隙間を前記バイパス溝１０に沿って前方へ流れて、バイパスチャンバー３ｃの前に設けられている前室３ｄ内へ移動する。ここで、後部ストッパー５ｂが前部ストッパー５ａの後端面に当接して、薬液ｍが前記前室３ｄ内に全て移動する。その後前室３ｄに移動された薬液ｍは、前室３ｄの外周側から注射前の薬液ｍの状態を十分に観察し、異物の有無等薬液ｍにおける異常の有無を確認してから、前室３ｄ内に残留する気泡も含めて薬液ｍにおける異常の有無を確認する。
【００１９】
この後、図２（ｃ）に示すように、注射針７に被せてあるプロテクター８を前記筒先３から取り外し、薬液ｍの上部に残留する気泡があれば、前記プランジャーロッド６を適宜操作することにより、前記気泡をルアー先３ａの中心に設けられた内孔３ｋから注射針７の先端から排出し、気泡が確実に排出したことが確認してから、図２（ｄ）に示すように、プランジャーロッド６を更に押して前部ストッパー５ａを後部ストッパー５ｂを介して前室３ｄの前端まで前進させることにより人体に注射する。
なお、前記において、バイパスチャンバー３ｃ内に段差９で止められていた前部ストッパー５ａは、後部ストッパー５ｂを介して押されると、前記段差９で弾性的に縮径変形して損傷することなく、前室３ｄ内へ押し進められる。
【００２０】
前記のように、容器兼用注射器１においては、前記シリンダ２内の薬液ｍが、前記筒先３におけるバイパスチャンバー３ｃとルアー先３ａにおける基部３ｅの内面３ｆとの間に設けられた前室３ｄ内に移動されて、該前室３ｄ内において薬液ｍの気泡を含めて異常の有無を、透明な筒先３の外周側からしっかりと観察することができ、薬液ｍに異常のないことを確認して安心して注射を行うことができる。
【００２１】
以上説明したように、前記実施の形態に係る容器兼用注射器１は、シリンダ２と、該シリンダ２内の前後端側に嵌入され、シリンダ２内に充填された薬液ｍを液密に封止する前部ストッパー５ａおよび後部ストッパー５ｂと、透明な合成樹脂材料で形成されており、基端側の嵌着穴３ｂを介して前記シリンダ２の前端に嵌着されると共に先端に注射針７を取り付けるルアー先３ａが設けられた筒先３と、前記シリンダ２の後端に設けられたフィンガーグリップ４と、前記シリンダ２の後端部からシリンダ２内に挿入されて前記後部ストッパー５ｂに連結されたプランジャーロッド６とを備えており、前記筒先３には、前記嵌着穴３ｂの前側に、内壁にバイパス溝１０を有し前部ストッパー５ａの軸長より長く形成されて前部ストッパー５ａが入り込んで一時的に停止するバイパスチャンバー３ｃが設けられると共に、該バイパスチャンバー３ｃの前端から前記ルアー先３ａの基部３ｅの内面３ｆまでの間に、内径が前記シリンダ２の内径と同じかまたは前後部ストッパー５ａ，５ｂの外径を超えない大きさの内径であって、シリンダ２内の前部ストッパー５ａと後部ストッパー５ｂとの間に充填される薬液ｍの容量を超える容積を有する前室３ｄが設けられ、また、前記バイパスチャンバー３ｃは、その内径が前記前室３ｄの内径より大きく設定されて前室３ｄとの境界部ｋに段差９が設けられ、前記バイパス溝１０は、前記シリンダ２内をバイパスチャンバー３ｃに入り込んだ前部ストッパー５ａを迂回して前記前室３ｄ内に連絡させるように形成された構成とされている。
【００２２】
したがって、前記実施の形態に係る容器兼用注射器１によれば、筒先３のバイパスチャンバー３ｃ内に前部ストッパー５ａが押し込まれることにより密封を解除されたシリンダ２内の薬液ｍが、シリンダ２から前記バイパスチャンバー３ｃ内に流入し、先にバイパスチャンバー３ｃ内に入った前部ストッパー５ａの外周面と前記バイパス溝１０との間の狭い隙間を通って前記前室３ｄ内に全量入り込むので、該前室３ｄにおいて、従来の容器兼用注射器の筒先では見えにくかった注射前の薬液ｍの状態を、薬液ｍ中の異物の存在や気泡も含めて透明な筒先の外側から良く観察することができ、薬液ｍ中に残る気泡が確実に排出されたことを確認することができるので、その気泡の排出を確認してから安心して薬液を人体に注射することができる。
【００２３】
また、前記容器兼用注射器１によれば、前記バイパスチャンバー３ｃと前室３ｄとの境界部ｋに内側に突出する突起等の格別な係止部を設けなくても、前記バイパスチャンバー３ｃ内に入り込んだ前部ストッパー５ａを、薬液ｍがシリンダ２内からバイパス溝１０を通して前室３ｄ内に移動する間、前記段差９の部分によってバイパスチャンバー３ｃ内に一時的に止めておくことができるので、シリンダ２内の薬液ｍの全量を前室３ｄ内に確実に誘導することができると共に、筒先３はその内面形状が簡単となって容易に製作することができる。また、注射時には、前部ストッパー５ａを後部ストッパー５ｂを介して押すことによりバイパスチャンバー３ｃから前室３ｄに押し込んで段差９の部分を通過させて前方へ円滑、容易に移動させることができる。
【００２４】
次に、図３は本発明の第二の実施の形態に係る容器兼用注射器１Ａを示す。この実施の形態に係る容器兼用注射器１Ａは、前記容器兼用注射器１が前記バイパスチャンバー３ｃの内径を前室２ｄの内径より大きくして、前記バイパスチャンバー３ｃと前室３ｄとの境界部ｋに、それらの直径差にもとづく段差９が設けられ、前記バイパスチャンバー３ｃ内に入り込んだ前部ストッパー５ａが前記段差９によってバイパスチャンバー３ｃ内に止められるように構成とされているのに対して、前記バイパスチャンバー３ｃの内径を前室２ｄの内径と同一とし、前記バイパスチャンバー３ｃの内壁に、バイパスチャンバー３ｃと前室３ｄとの境界部ｋに位置させて、バイパスパスチャンバー３ｃ内に入り込んだ前部ストッパー５ａに移動抵抗を与える突起１１が設けられた構成とされたものである。
【００２５】
前記突起１１は、前記バイパスチャンバー３ｃの中心方向に頂部を向けた半球状に形成され、前記各バイパス溝１０の間に位置してバイパスチャンバー３ｃの周方向に等間隔をあけて複数個（図示の例では４個であるが、２個のみ図示されている）配置されている。
その他の構成は、第一の実施の形態に係る容器兼用注射器１と同様であるので、該容器兼用注射器１と同一または同様な構成部分には同一の符号を付し、それらについての説明は省略する。
【００２６】
第二の実施の形態に係る容器兼用注射器１Ａにおいては、使用時に、前部ストッパー５がバイパスパスチャンバー３ｃ内に入り込むと、該バイパスパスチャンバー３ｃの前端部（前記境界部ｋ）に設けられた前記突起１１によって抵抗を受けて、薬液ｍの流動圧力では前進することなく前記バイパスチャンバー３ｃ内に止められており、この間に、プランジャーロッド６の操作で後部ストッパー５ｂが前進移動すると、シリンダ２内の薬液ｍが前記パイパス溝１０を通って前室３ｄ内へ移動する。その他の作用は、前記容器兼用注射器１の場合（図２参照）と同様であるので説明を省略する。
なお、前記バイパスチャンバー３ｃ内に突起１１で止められていた前部ストッパー５ａは、前記突起１１が半球状に形成されているので、前記プランジャーロッド６により後部ストッパー５ｂを介して押されると、突起１１により弾性変形して大きな抵抗を受けることなく、かつ損傷することもなく、容易に突起１１部を通過して前室３ｄ内へ押し進められる。
【００２７】
すなわち、第二の実施の形態に係る容器兼用注射器１Ａは、前記筒先３に、前記嵌着穴３ｂの前側に、内壁にバイパス溝１０を有し前部ストッパー５ａの軸長より長く形成されて前部ストッパー５ａが入り込んで一時的に停止するバイパスチャンバ３ｃーが設けられると共に、該バイパスチャンバー３ｃの前端から前記ルアー先３ａの基部３ｅ内面３ｆまでの間に、内径が前記シリンダ２の内径と同じかまたは前後部ストッパー５ａ，５ｂの外径を超えない大きさの内径であって、シリンダ２内の前部ストッパー５ａと後部ストッパー５ｂとの間に充填される薬液ｍの容量を超える容積を有する前室３ｄが設けられ、また、前記バイパスチャンバー３ｃが、その内径を前記前室３ｄの内径と同一とされ、その内壁におけるバイパスチャンバー３ｃと前室３ｄとの境界部に、バイパスパスチャンバー３ｃ内に入り込んだ前部ストッパー５ａに移動抵抗を与える突起１１が設けられ、前記バイパス溝１０が、前記シリンダ２内をバイパスチャンバー３ｃに入り込んだ前部ストッパー５ａを迂回して前記前室３ｄ内に連絡させるように形成された構成とされている。
【００２８】
したがって、第二の実施の形態に係る容器兼用注射器１Ａによれば、第一の実施の形態に係る容器兼用注射器１と同様に、従来の容器兼用注射器の筒先では見えにくかった注射前の薬液ｍの状態を、前記筒先３の前室３ｄにおいて、気泡も含めて透明な筒先３の外側から良く観察することができ、これにより、薬液中に残る気泡が確実に排出されたことを確認することができ、薬液に異常のないことを確認してから安心して人体に薬液ｍを注射することができる、という効果を奏すると共に、バイパスチャンバー内に入り込んだ前部ストッパーを突起によって前記バイパスチャンバー内に一時的に確実に止めておくことができるので、薬液の全量を前室にバイパス溝を通して確実に誘導することができる。
【００２９】
また、前記容器兼用注射器１Ａによれば、前記バイパス溝１０が、前記バイパスチャンバー３ｃの周方向に間隔をあけて複数個配置され、バイパスチャンバー３ｃの軸方向に沿って形成され、また、前記突起１１が、バイパスチャンバー３ｃの中心方向に頂部を向けた半球状に形成され、前記各バイパス溝１０の間に位置してバイパスチャンバー３ｃの周方向に複数個配置された構成とされているので、前記バイパスチャンバー３ｃ内に入り込んだ前部ストッパー５ａを突起１１によって安定した状態で止めて、シリンダ２内の薬液ｍを前室３ｄにバイパス溝１０を通して円滑に誘導することができると共に、注射時には、前部ストッパー５ａを後部ストッパー５ｂで押して前記突起１１の部分を通過させて前室３ｄに押し込んで前方へ移動させる際に、前部ストッパー５ａが前記突起１１で損傷するの確実に抑えることができる。
【００３０】
なお、前記第二の実施の形態に係る容器兼用注射器１Ａにおいては、前記突起１１を半球状に形成してバイパスチャンバー３ｃの内周面に周方向に間隔をあけて複数個設ける代わりに、横断面が円弧状に形成された突条を、前記バイパス溝１０の部分を除いて、前記バイパスチャンバー３ｃの内周面にその周方向に沿って設けるようにしてもよい。
また、前記実施の形態に係る容器兼用注射器１，１Ａにおいては、本発明を一室式容器兼用注射器に適用した例を示したが、本発明はこれに限らず、二室式容器兼用注射器にも適用することができる。この場合は、前記筒先３の前室３ｄの容積がシリンダ２内の二室の薬剤の容積の合計容積に相当するものとなるので、容器兼用注射器の全長が多少長くなる。
【図面の簡単な説明】
【００３１】
【図１】本発明の第一の実施の形態に係る容器兼用注射器を示す縦断面図である。
【図２】本発明の一実施の形態に係る容器兼用注射器の作用を示す縦断面図である。
【図３】本発明の第二の実施の形態に係る容器兼用注射器を示す縦断面図である。
【符号の説明】
【００３２】
１  容器兼用注射器
２  シリンダ
３  筒先
３ａ  ルアー先
３ｂ  嵌着穴
３ｃ  バイパスチャンバー
３ｄ  前室
３ｅ  ルアー先の基部
３ｆ  基部の内面
４  フィンガーグリップ
５ａ，５ｂ  前部、後部ストッパー
６  プランジャーロッド
７  注射針
８  プロテクター
９  段差  
１０  バイパス溝
１１  突起
ｋ  境界部
ｍ  薬液
【図１】
2008099728.tif 000003
【図２】
2008099728.tif 000004
【図３】
2008099728.tif 000005